(57)【要約】共通の通信リンクにて電力信号および通信信号を伝送することができるようにするためのスプリッタが提供される。該スプリッタは、通信線に結合されるように構成された回線ポートと、電力信号を受信すべく電力供給部に結合されるように構成された電力供給ポートと、通信信号を生成しまた受信する通信回路に結合されるように構成された通信ポートと、を含む。該スプリッタはまた、結合インダクタを含み、電力供給ポートと回線ポートとの間に結合された低域通過フィルタと、通信ポートに結合された高域通過フィルタと、をも含み、ここで通信信号および電力信号は、回線ポートにおいて通信線上を伝送される。
2006526955.tif 000002
【特許請求の範囲】
【請求項１】
電力信号および通信信号を共通通信リンクにて伝送できるようにするためのスプリッタであって、
通信線に結合されるように構成された回線ポートと、
電力信号を受信すべく電力供給部に結合されるように構成された電力供給ポートと、
通信信号を生成しまた受信する通信回路に結合されるように構成された通信ポートと、
結合インダクタを含み、前記電力供給ポートと回線ポートとの間に結合された低域通過フィルタと、
前記通信ポートに結合された高域通過フィルタと、
を含むスプリッタであり、
前記通信信号および電力信号が、前記回線ポートにおいて前記通信線上に伝送されるスプリッタ。
【請求項２】
前記結合インダクタは、
第１の巻線と、
第２の巻線と、
共通の磁心と、
を含み、前記第１の巻線が電力供給ポートの第１の端子に結合され、前記第２の巻線が前記電力供給ポートの第２の端子に結合される請求項１に記載のスプリッタ。
【請求項３】
前記低域通過フィルタがさらに、前記電力ポートの第１のポートと第２のポートとの間に結合された少なくとも１つのコンデンサを含む請求項１に記載のスプリッタ。
【請求項４】
前記高域通過フィルタはさらに、前記通信ポートの第１および第２の端子にそれぞれ結合された一対のコンデンサを含む請求項１に記載のスプリッタ。
【請求項５】
通信信号を伝送する回線上へ電力を注入するための回路において、
通信信号を受信するための手段と、
電力信号を受信するための手段と、
前記通信信号を受信するための手段に結合され、調整された通信信号を生成すべく前記通信信号に対して高ＤＣインピーダンスおよび低ＡＣインピーダンスを提供するための手段と、
前記電力信号を受信するための手段に結合され、調整された電力信号を生成すべく前記電力信号に対して高ＡＣインピーダンスおよび低ＤＣインピーダンスを提供するための結合インダクタ手段と、
前記の調整された通信信号と前記の調整された電力信号とを組合せるための手段と、
を含んでなる回路。
【請求項６】
前記電力信号を受信するための手段が、第１および第２の端子を含む請求項５に記載の回路。
【請求項７】
前記の高ＤＣインピーダンスおよび低ＡＣインピーダンスを提供するための手段が、通信信号を受信するための前記手段の第１および第２の入力端子にそれぞれ結合された一対のコンデンサからなる請求項５に記載の回路。
【請求項８】
高ＡＣインピーダンスおよび低ＤＣインピーダンスを提供するための前記結合インダクタ手段が、
第１の巻線、第２の巻線および共通の磁心を備えるインダクタと、
前記第１および第２の巻線の各片端間に結合された少なくとも１つのコンデンサと、
を含んでなる請求項５に記載の回路。
【請求項９】
通信リンクに結合されるように構成された通信インタフェースと、
電源から電力信号を受信するように構成された電力供給部を含む電力インタフェースと、
前記通信インタフェースおよび前記電力インタフェースに結合されたスプリッタであって、
通信線に結合されるように構成された回線ポートと、
電力信号を受信すべく前記電力インタフェースに結合されるように構成された電力ポートと、
通信信号を送受信する前記通信インタフェースに結合されるように構成された通信ポートと、
結合インダクタを含み、前記電力供給ポートと前記回線ポートとの間に結合された低域通過フィルタと、
前記通信ポートに結合された高域通過フィルタと、を含み、
前記通信信号および前記電力信号が前記回線ポートにおいて前記通信線上に伝送されるスプリッタと、
を含んでなる給電側ネットワークエレメント。
【請求項１０】
前記結合インダクタは、
第１の巻線と、
第２の巻線と、
共通の磁心と、
を含み、該第１の巻線が前記電力供給ポートの第１の端子に結合され、該第２の巻線が該電力ポートの第２の端子に結合される請求項９に記載の給電側ネットワークエレメント。
【請求項１１】
前記低域通過フィルタがさらに、前記電力供給ポートの第１のポートと第２のポートとの間に結合された少なくとも１つのコンデンサを含む請求項９に記載の給電側ネットワークエレメント。
【請求項１２】
前記高域通過フィルタはさらに、前記通信ポートの第１および第２の端子にそれぞれ結合された一対のコンデンサを含む請求項９に記載の給電側ネットワークエレメント。
【請求項１３】
通信線上へ電力信号を注入するための方法において、
通信信号を受信する段階と、
電力信号を受信する段階と、
調整された通信信号を生成すべく、前記通信信号に対し高ＤＣインピーダンスおよび低ＡＣインピーダンスを提供する段階と、
調整された電力信号を生成すべく、結合インダクタを用いて、前記電力信号に対し高ＡＣインピーダンスおよび低ＤＣインピーダンスを提供する段階と、
前記の調整された通信信号と共に同じ通信線上に、前記の調整された電力信号を伝送する段階と、
からなる方法。
【請求項１４】
前記の通信信号を受信する段階が、上りおよび下り通信信号を受信する段階を含む請求項１３に記載の方法。
【請求項１５】
前記の電力信号を受信する段階が、ＤＣ電源からの信号を受信する段階を含む請求項１３に記載の方法。
【請求項１６】
選択されたプロトコルに従って通信信号を送受信する通信回路と、
前記選択されたプロトコルに従って信号を送受信するように構成されたモデムを含む遠隔ネットワークエレメントと、
前記モデムに結合され、システムに無線インタフェースを提供するように構成された無線アクセスポイントをさらに含む遠隔終端装置と、
前記通信回路および前記遠隔ネットワークエレメントに結合された中央局電力プラグと、からなり、該中央局電力プラグはスプリッタを含み、該スプリッタは、
通信線上で遠隔終端装置に結合されるように構成された回線ポートと、
電力信号を受信するように構成された電力ポートと、
前記通信回路に結合された通信ポートと、
結合インダクタを含み、前記電力ポートと前記回線ポートとの間に結合された低域通過フィルタと、
前記通信ポートに結合された高域通過フィルタと、を含み、
ここに前記通信信号および前記電力信号が、前記回線ポートにおいて通信線上で輸送される無線システム。
【請求項１７】
前記結合インダクタは、
第１の巻線と、
第２の巻線と、
共通の磁心と、
を含み、前記第１の巻線が前記電力供給ポートの第１の端子に結合され、前記第２の巻線が前記電力供給ポートの第２の端子に結合される請求項１６に記載のシステム。
【請求項１８】
前記低域通過フィルタがさらに、前記電力供給ポートの第１のポートと第２のポートとの間に結合された少なくとも１つのコンデンサを含む請求項１６に記載のシステム。
【請求項１９】
前記高域通過フィルタはさらに、前記通信ポートの第１および第２の端子にそれぞれ結合された一対のコンデンサを含む請求項１６に記載のシステム。
【請求項２０】
第１および第２の端子を含む電力供給ポートと、
第１および第２の端子を含む回線ポートと、
第１および第２の端子を含む通信ポートと、
第１および第２の巻線を有する結合インダクタと、
前記第１の巻線は、前記電力供給ポートの第１の端子と前記回線ポートの第１の端子との間に結合され、
前記第２の巻線は、前記電力供給ポートの第２の端子と前記回線ポートの第２の端子との間に結合され、
前記結合インダクタの前記第１および第２の巻線間に結合されたコンデンサであって、該コンデンサと結合インダクタは前記電力供給ポートで受信した電力信号に対し高ＡＣインピーダンスを提供するコンデンサと、
前記回線ポートにおいて共通の通信線上で通信信号および電力信号を伝送できるようにすべく、前記通信ポートへまたは該通信ポートから伝送される通信信号に対し高ＤＣインピーダンスを提供するために、それぞれ該通信ポートの前記第１および第２の端子に結合される第１および第２のコンデンサと、
を含んでなるスプリッタ。
【発明の詳細な説明】
【技術分野】
【０００１】
電気通信網は、さまざまな場所におけるユーザ機器間での信号を伝送する。電気通信網は、数多くの構成要素を含む。例えば、電気通信網は標準的に、ネットワークエレメント間の選択的な信号経路を提供するいくつかのスイッチエレメントを含む。付加的には、電気通信網は、スイッチ間で信号を伝送する例えばツイスト・ペア、光ファイバケーブル、同軸ケーブルなどの通信媒体を含む。さらに、いくつかの電気通信網は、アクセスネットワークを含む。
【背景技術】
【０００２】
本明細書では「アクセスネットワーク」という語は、コアネットワークに加入者機器またはデバイスを接続できるようにする、例えば公衆交換電話網（ＰＳＴＮ）といった電気通信網の一部を意味する。また本明細書では、アクセスネットワークという語にはさらに、一般には企業ネットワークの一部として考えられている場合であっても顧客宅内機器（ＣＬＥ）をも含む。従来のアクセスネットワークの例としては、サービスエリア内の加入者に対してサービスインタフェースを直接提供する中央局または外部プラントキャビネットの中に通常設置されるケーブルプラントおよび機器が含まれる。アクセスネットワークは、加入者サービスエンドポイントと、与えられたサービスを提供する通信網との間のインタフェースを提供する。アクセスネットワークは標準的に、いくつかのネットワークエレメントを含む。
【０００３】
ネットワークエレメントは、提供すべき電気通信サービスのためのサービスインタフェースを提供するアクセスネットワーク内の設備または機器である。ネットワークエレメントは、独立型デバイスであるか、またはいくつかのデバイス間で分散されていてよい。ネットワークエレメントは、中央局内、外部プラント内あるいは顧客宅内の機器（ＣＬＥ）のいずれかである。ネットワークエレメントの中には、外部プラント環境用に強化されているものもある。本明細書で定義したような一部のアクセスネットワークにおいては、さまざまなネットワークエレメントが異なる事業体により所有されていてよい。例えば、１つのアクセスネットワーク内のネットワークエレメントの大部分は、ベル系地域電話運営会社（Reginal Bell Operating Companies：ＰＢＯＣ）の１つにより所有され得、一方ＣＬＥは、加入者によって所有され得る。かかる加入者機器は従来、加入者の企業網の一部とみなされるが、本明細書では、アクセスネットワークの一部として定義され得る。
【０００４】
アクセスネットワークについては従来の形態が数多く存在する。例えば、デジタルループキャリアは、初期のアクセスネットワークの形態である。従来のデジタルループキャリアは、２つのネットワークエレメントを用いて加入者機器へおよびそこから信号を伝送した。コアネットワーク側では、中央局終端装置が提供されている。中央局終端装置は、高速デジタルリンク、例えばいくつかのＴ１回線またはその他の適切な高速デジタル輸送媒体上で遠隔終端装置に接続されている。デジタルループキャリアの遠隔終端装置は標準的に、従来のツイストペアドロップ上で加入者と接続する。
【０００５】
デジタルループキャリアの遠隔終端装置は、往々にして顧客サービスエリア内の奥深くに配備されている。遠隔終端装置は標準的に、適切な動作のために電力を必要とするラインカードおよびその他の電子回路を有する。一部の利用分野においては、遠隔終端装置は構内で電力供給を受けている。残念なことに、構内電力ロスに起因する遠隔終端装置の故障を防止するためには、構内バッテリプラントが標準的に使用される。こうして拡張された温度範囲にわたる動作を規定した外部プラント運転必要条件に起因して、遠隔終端装置のメンテナンス性が複雑になり、コストも増大する。
【０００６】
一部のネットワークでは、遠隔終端装置は、中央局からの回線上で給電を受けている。これは、ライン供給またはライン給電と呼ばれ、ＡＣまたはＤＣ源を用いて達成可能である。かくして、構内電力源が故障した場合、遠隔終端装置は、標準的にバッテリ支援電力源を用いて回線上で給電を受けることにより機能し続ける。こうして遠隔終端装置は、電源異常の間でさえ、ライフライン用従来型電話サービス（ＰＯＴＳ）のような緊急時機能を提供することができる。
【０００７】
ライン給電を提供する標準システムにおいては、電力を注入する回路もまた、通信線に提供される通信信号の供給源である。電力注入回路の設計は、通信信号を終端させる回路から異なる回路へ電力信号が送られる場合に、複雑なものとなる。従って、当該技術分野においては、通信信号を伝送する回線上への電力信号の注入を可能にするため、アクセスネットワーク内でネットワークエレメントに電力を供給する方法を改善する必要性が存在する。
【発明の開示】
【課題を解決するための手段】
【０００８】
本発明の実施形態は、アクセスネットワークのネットワークエレメントに対する電力の提供に付随する問題に対処するものである。特に、一実施形態においては、共通の通信リンク上で電力信号および通信信号を伝送することができるようにするためのスプリッタが提供される。該スプリッタは、通信線に結合されるように構成された回線ポート、電力信号を受信すべく電力供給部に結合されるように構成された電力供給ポートおよび通信信号を生成しまた受信する通信回路に結合されるように構成された通信ポートを含む。該スプリッタはまた、結合インダクタを含み、電力供給ポートと回線ポートとの間に結合された低域通過フィルタと、通信ポートに結合された高域通過フィルタをも含み、ここで通信信号および電力信号は、回線ポートにおいて通信線上を伝送される。
【発明を実施するための最良の形態】
【０００９】
以下の詳細な説明においては、その一部をなし、一例として本発明を実施しうる特定の実施例を示す添付図面を参照する。これらの実施形態については当業者が本発明を実施できるようにするのに十分なほどに詳細に記述されているが、その他の実施形態も利用可能であること、また、本発明の精神および範囲から逸脱することなく、論理的、機械的および電気的変更を加えることが可能であることは理解されるべきである。従って以下の詳細な説明は、制限的な意味合いでとらえられるべきものではない。
【００１０】
図１は、全体として１００という番号で表わされているスプリッタの１つの実施形態の概略図である。スプリッタ１００は、通信信号の有効性を損なうことなく、ネットワークエレメント間で通信信号を同時に転送する通信回線内に電力信号を注入するように構成される。
【００１１】
スプリッタ１００は、３つのインタフェースポート、すなわち電力供給ポート１０２、通信ポート１０４および回線ポート１０６を含む。電力供給ポート１０２は、回線電力供給されるネットワークエレメントに、回線電力を提供するための電力供給部に結合するように構成される。一実施形態においては、電力供給ポート１０２は、ＤＣ電源に結合されている。該ＤＣ電源は、デジタルループキャリア、デジタル加入者線（ＤＳＬ）モデム、集積アクセスデバイスまたはその他の適切なネットワークエレメント内の遠隔終端装置といった遠隔通信デバイスに、電力供給するための電力信号を提供する。通信ポート１０４は、通信回路に結合されるように構成される。例えば一実施形態においては、通信ポート１０４は、ｘＤＳＬ信号、例えばＡＤＳＬ、Ｇ．ＳＨＤＳＬ、ＶＤＳＬ、あるいは任意のその他の適切な通信規格に従って生成された通信信号を送受信する回路に結合されている。回線ポート１０６は、ツイスト・ペアまたはその他の適切な導電性媒体といった通信線に結合するように構成される。
【００１２】
電力供給ポート１０２は、回線ポート１０６に結合された通信線上を搬送される電力信号を提供するように構成される。一実施形態において、電力供給ポート１０２は、第１端子１０８および第２の端子１１０を含む。端子１０８および１１０は、電力供給回路（図示せず）の正および負の端子に結合されるようになっている。端子１０８における電力信号は、回線ポート１０６のチップ（Ｔ）端子１２４に提供される。同様にして、端子１１０における電力信号は、回線ポート１０６のリング（Ｒ）端子１２６に提供される。チップ端子１２４およびリング端子１２６にそれぞれ提供された電力信号は、フィルタされて同じ通信線上を通る通信信号から分離される。
【００１３】
スプリッタ１００は、このフィルタ機能を提供する、電力供給ポート１０２と回線ポート１０６との間に結合された数多くの構成要素を含む。これらの構成要素としては、コンデンサ１２０および結合インダクタ１２２がある。コンデンサ１２０およびインダクタ１２２の組合せは、端子１０８からチップ端子１２４までおよび端子１１０からリング端子１２６まで通過する電力信号に対して低域通過フィルタを提供する。
【００１４】
コンデンサ１２０および結合インダクタ１２２は、電力供給ポート１０２から回線ポート１０６までの電力信号に対し、高ＡＣインピーダンスおよび低ＤＣインピーダンスを提供する。コンデンサ１２０は、ノード１１６と１１８との間に並列に結合される。一実施形態においては、結合インダクタ１２２は、第１および第２のインダクタンスを提供すべく、共通の磁心に巻回された第１および第２の巻線１２８および１３０を含む。共通磁心を使用することによって、２つのインダクタは十分に整合（ｍａｔｃｈ）させられる。さらに、共通磁心を用いることにより、同じサイズの別のインダクタに比べてより高いインダクタンスが、低域通過フィルタにおいて形成される。
【００１５】
通信ポート１０４は、低ＡＣインピーダンスおよび高ＤＣインピーダンス（高域通過フィルタ）を備える回路を通して回線ポート１０６に結合される。通信ポート１０４は、チップ（Ｔ）端子１３２およびリング（Ｒ）端子１３４を含む。一実施形態においては、チップ端子１３２は、コンデンサ１３６を通して回線ポート１０６のチップ端子１２４に結合される。同様にして、リング端子１３４は、コンデンサ１３８を通してリング端子１２６に結合される。コンデンサ１３６および１３８は、高ＤＣインピーダンスと低ＡＣインピーダンスを提供する。
【００１６】
スプリッタ１００はまた、いくつかのその他の構成要素をも含む。端子１０８および１１０はまた、保護ダイオード１１２に結合される。保護ダイオード１１２は、スプリッタ１００の電流の流れ方向を制限することにより、電源を保護するように構成されている。抵抗１１４もまた、スプリッタ１００のノード１１６と１１８との間に結合される。抵抗１１４は、引抜かれたときに電源の高圧コンデンサのために放電路を提供し、カードをサービス状態から抜き取った後のショックの危険性を防止する。スプリッタ１００はまた、稲妻などにより誘導されるスパイクのような電圧スパイクから保護すべく、いくつかの過電圧保護「クローバ」（ｃｒｏｗｂａｒ）デバイス１４０−１〜１４０−４をも含む。
【００１７】
動作時において、スプリッタ１００は、通信ポート１０４と回線ポート１０６との間の通信信号の通信に対して実質的に干渉することなく、回線ポート１０６において通信線上に電力ポート１０２からの電力信号を注入する。コンデンサ１３６および１３８は、回線給電型の伝送方式でない可能性のある通信信号が通信ポート１０４と回線ポート１０６との間を通過することができるように、高ＤＣインピーダンスおよび低ＡＣインピーダンスを提供する。さらに、結合インダクタ１２２およびコンデンサ１２０は、通信信号を破損することなしに、回線ポート１０６において通信線上に電力供給ポート１０２から電力信号を注入できるように、低ＤＣインピーダンスおよび高ＡＣインピーダンスを提供する。
【００１８】
図２は、例えばツイスト・ペア電話線といった１またはそれ以上の通信線上で１またはそれ以上のその他のネットワークエレメントのための回線給電を提供するネットワークエレメント２００の一実施形態のブロック図である。図２に示す給電側（ｓｏｕｒｃｅ）ネットワークエレメント２００の実施形態は、通信インタフェース２０２および電力インタフェース２０４を含む。通信インタフェース２０２は、給電側ネットワークエレメント２００によって提供される各種電気通信サービスを提供するための適切な構成要素を含む。例えば、図２に示す実施形態においては、通信インタフェース２０２は、給電側ネットワークエレメント２００を、少なくとも１つの上り（ｕｐｓｔｒｅａｍ）Ｇ．ＳＨＤＳＬ通信リンクおよび少なくとも１つの下り（ｄｏｗｎｓｔｒｅａｍ）Ｇ．ＳＨＤＳＬ通信リンクと、スプリッタ２３０を介して、結合する。１つの実施形態においては、スプリッタ２３０は、図１に関して上述したように構築されている。少なくとも１つのツイスト・ペア電話線２０６全体にわたり、下りＧ．ＳＨＤＳＬ通信リンクが提供される。その他の実施形態においては、通信信号はその他の適切な任意の通信規格に従って生成される。ツイスト・ペア電話線２０６は、１つの実施形態においては、給電側ネットワークエレメント２００によって給電される１またはそれ以上のネットワークエレメント（一般に「受電側（ｓｉｎｋ）ネットワークエレメント」と呼ばれるが、図２には示されていない）に結合される。
【００１９】
電力インタフェース２０４は、電源２１０に結合されている電力供給部２０８を含む。一般に、電力供給部２０８は、電源２１０から電力を受取り、ツイスト・ペア電話線２０６に結合された受電側（ｓｉｎｋ）ネットワークエレメントに給電すべく、ツイスト・ペア電話線２０６上での電力を調整して供給する。かかる一実施形態においては、電力供給部２０８は、フライバック電力供給部として実現される。給電側（ｓｏｕｒｃｅ）ネットワークエレメント２００は、通信インタフェース２０２からの出力通信信号および電力インタフェース２０４からの出力電力信号を組合せ、組合わさった出力信号をツイスト・ペア電話線２０６に供給するスプリッタ２３０を含む。スプリッタ２３０はまた、ツイスト・ペア電話線２０６からの入力信号を受信し、下り通信リンクを提供するために使用される該受信入力信号の一部を分割し、適切な処理をすべくそれを通信インタフェース２０２に提供する。スプリッタ２３０の一実施形態は、図１に関連して上述されている。
【００２０】
電力インタフェース２０４はまた、電力供給部２０８の動作を制御するコントローラ２１２をも含む。かかる一実施形態においては、コントローラ２１２は、ハードウェア（例えば、アナログおよび／またはデジタル回路を用いて）および／またはソフトウェア（例えば、ここで記述される各種制御機能を実施するため適切な命令でプログラマブルプロセッサをプログラミングすることによって）の形で実現される。その他の実施形態では、コントローラ２１２は、その他の形で実施される。コントローラ２１２は、図２中で電力インタフェース２０４の一部として示されているが、その他の実施形態では、コントローラ２１２は、給電側ネットワークエレメント２００のための一般的なコントローラまたは制御回路の一部である。その他の実施形態では、コントローラ２１２によって実施される機能は、電力供給部２０８の制御回路内に直接組み入れられる。
【００２１】
図２に示す実施形態においては、コントローラ２１２と電力供給部２０８との間に、電圧信号２１４が提供される。該電圧信号２１４は、コントローラ２１２によって、ツイスト・ペア電話線２０６に結合された受電側ネットワークエレメントに給電するため、ツイスト・ペア電話線２０６上に電力供給部２０８が給電すべき公称電圧を設定するのに、用いられる。コントローラ２１２と電力供給部２０８との間には電力限界信号２１６が提供される。該電力限界信号２１６は、コントローラ２１２により、電力供給部２０８についての電力限界を設定するために用いられる。この電力限界とは、ツイスト・ペア電話線２０６上に電力供給部２０８が提供する最大電力である。
【００２２】
過負荷信号２１８が、電力供給部２０８によってコントローラ２１２に提供される。過負荷信号２１８は、電力供給部２０８が電圧信号２１４について規定されている公称電圧よりも現在低い出力電圧で給電していることをコントローラ２１２に知らせるために、電力供給部２０８によって使用される。これはここでは、「過負荷条件」、つまり電力供給部２０８が「規定値外」である状態と称される。例えば、電力供給部２０８により供給される電力量が電力限界信号２１６により規定された電力限界を上回るようにさせる電流量を、ツイスト・ペア電話線２０６に結合された受電側ネットワークエレメントが引込む場合、電力供給部２０８は、電力供給部２０８により供給される合計電力が電力限界を上回らないように、出力電圧を降下させる。過負荷条件が存在する場合、電力供給部２０８は、過負荷信号２１８にてかかる過負荷条件が存在することを表示する。
【００２３】
図２に示された実施形態においては、電力供給部２０８によってコントローラ２１２に対しさまざまな電流測定信号が供給される。例えば、電力供給部２０８によって現在供給されている電流がある比較的低い電流閾値より低いことを表示するには、コントローラ２１２に対して低電流信号２２０が電力供給部２０８によって供給される。電力供給部２０８によって現在供給されている電流がある比較的高い電流値より高いことを表示するためには、コントローラ２１２に対し電力供給部２０８により高電流信号２２２が供給される。その他の実施形態においては、電力供給部２０８により現在供給されている電流量が測定され、コントローラ２１２に提供される。
【００２４】
図３は、無線ネットワーク３００の一実施形態のブロック図である。図３に示す無線ネットワーク３００の実施形態は、電源３０４に結合される中央局電力プラグ３０２を含む。一実施形態においては、中央局電力プラグ３０２は、上述の給電側ネットワークエレメント２００の実施形態を用いて実現される。上り通信媒体（例えば、ツイスト・ペア電話線）にて、中央局電力プラグ３０２に対する上りＧ．ＳＨＤＳＬ通信リンク３０６が提供される。上りＧ．ＳＨＤＳＬ通信リンク３０６は、中央局電力プラグ３０２をＧ．ＳＨＤＳＬ回線インタフェース部３０８に結合させる。Ｇ．ＳＨＤＳＬ回線インタフェース部３０８は、インターネットといった上りネットワーク（図示せず）に結合される。１つのこのような実施形態においては、Ｇ．ＳＨＤＳＬ回線インタフェース３０８は、Ｇ．ＳＨＤＳＬ回線インタフェース３０８を上りネットワークに結合させるため加入者アクセスマルチプレクサ（図示せず）内に挿入される。
【００２５】
無線ネットワーク３００はまた、遠隔ネットワークエレメント３１０を含む。遠隔ネットワークエレメント３１０は、中央局電力プラグ３０２と遠隔ネットワークエレメント３１０との間に結合されたツイスト・ペア電話線３１２によって給電される。ツイスト・ペア電話線３１２にて、下りＧ．ＳＨＤＳＬ通信リンク３１４が提供される。中央局電力プラグ３０２は、図２に関連して上述したものと同じ要領で、ツイスト・ペア電話線３１２にて、遠隔ネットワークエレメント３１０のための電力を供給する。遠隔ネットワークエレメント３１０は、ツイスト・ペア電話線３１２に結合された電力供給部３１８を含む。電力供給部３１８は、中央局電力プラグ３０２によりツイスト・ペア電話線３１２上に供給された電力を抽出する。その抽出された電力は、遠隔ネットワークエレメント３１０のさまざまな構成要素に給電するのに用いられる。
【００２６】
遠隔ネットワークエレメント３１０はまた、ツイスト・ペア電話線３１２にて伝送されるＧ．ＳＨＤＳＬ信号を変調および復調するＧ．ＳＨＤＳＬモデム３２０をも含む。該モデム３２０は、イーサネット（登録商標）接続３２４にて無線アクセスポイント３２２に結合される。無線アクセスポイント（ＷＡＰ）３２２は、無線リンク３２６にて各種無線デバイス（図示せず）へのトラヒックを伝送し、またこれからのトラヒックを受信する。無線デバイスの例としては、無線トランシーバを有するコンピュータまたはパーソナルデジタルアシスタント（ＰＤＡ）がある。一実施形態においては、無線アクセスポイント３２２は、電気電子技術者協会（ＩＥＥＥ）８０２．１１ｂ規格（「ＷＩ−ＦＩ」とも称す）、８０２．１１ａ、ＨｏｍｅＲＦまたはその他の任意の適切な無線通信規格をサポートする無線アクセスポイントである。その他の実施形態においては、無線アクセスポイント３２２は、有線ローカルエリアネットワーク接続のための回路で置き換えることもできる。
【００２７】
無線ネットワーク３００はまた、無線ネットワーク３００により提供される無線サービスを管理する無線サービスマネージャ３２８も含む。例えば、一実施形態においては、無線サービスマネージャ３２８は、遠隔認証ダイヤルインユーザサービス（ＲＡＤＩＵＳ）プロトコルを用いて、認証およびその他の加入者およびサービス関連情報を管理する。一実施形態においては、無線サービスマネージャ３２８は、ローカルエリアネットワーク接続（例えば、イーサネット（登録商標）接続）を用いて、Ｇ．ＳＨＤＳＬ回線インタフェース３０８に結合される。
【００２８】
動作時において、無線トラヒックがさまざまな無線デバイスから無線アクセスポイント３２２によって受信される。該無線トラヒックは、ツイスト・ペア電話線３１２を介しＧ．ＳＨＤＳＬモデム３２０により中央局電力プラグ３０２に伝送される。スプリッタ（図３には示さず）が、Ｇ．ＳＨＤＳＬ通信リンクを提供するために用いられる信号の一部を分割し、それを適切な処理のため中央局電力プラグ３０２の通信インタフェース（図３では示さず）に提供する。該通信インタフェースは、上りＧ．ＳＨＤＳＬ通信リンク３０６にてＧ．ＳＨＤＳＬ回線インタフェース部３０８に対して上記トラヒックを伝送し、そこで、該トラヒックは処理されて回線インタフェース部３０８により上りネットワークに転送される。下り方向においては、上りネットワークからのトラヒックは、Ｇ．ＳＨＤＳＬ回線インタフェース部３０８により受信される。該トラヒックは、上り通信リンク３０６にて中央局電力プラグ３０２に伝送される。該トラヒックは、スプリッタにより中央局電力プラグ３０２の電力供給部（図３に示さず）からの電力と組合わされ、組合わされた信号はツイスト・ペア電話線３１２により伝送される。その信号は、Ｇ．ＳＨＤＳＬモデム３２０により受信され、このモデムはそのトラヒックを、無線デバイスへの伝送のため無線アクセスポイント３２２に転送する。
【図面の簡単な説明】
【００２９】
【図１】スプリッタの一実施形態の概略図である。
【図２】ネットワークエレメントにおいて、スプリッタを使用することにより対向するネットワークエレメントに電力を提供するように構成された通信網のネットワークエレメントの一実施形態のブロック図である。
【図３】対向するネットワークエレメントに遠隔より電力供給するために電力信号と通信信号とを組合わせるためのスプリッタを含む中央局電力プラグを備える通信システムの一実施形態のブロック図である。
【図１】
2006526955.tif 000003
【図２】
2006526955.tif 000004
【図３】
2006526955.tif 000005
【国際調査報告】
2006526955.tif 000006
2006526955.tif 000007